(57)【要約】【課題】表示される画像の観察者が望んでいる色調の画像表示を実現することができるモノクロ表示用液晶表示装置を提供する。【解決手段】モノクロ表示用液晶表示装置１であって、第１の基板２ａおよび第２の基板２ｂと、第１の基板２ａに設けられた複数のゲート配線４と、複数のゲート配線４に交差するように設けられた複数のソース配線５と、複数のゲート配線４および複数のソース配線５によって囲まれた画素ごとに設けられた信号電極７と、信号電極７との間で電界を形成するための共通電極８とを備えたモノクロ表示用液晶表示装置１において、第２の基板２ｂの主面上には、表示される画像のホワイトバランスを調整するための着色層９が設けられており、着色層９は、平面視して信号電極７と共通電極８との間に位置している。【選択図】図１
2014006475.tif 000002
【特許請求の範囲】
【請求項１】
主面同士を対向させて配置された第１の基板および第２の基板と、前記第１の基板および前記第２の基板の間に配置された液晶層と、前記第１の基板の前記主面上に設けられた複数のゲート配線と、該複数のゲート配線に交差するように第１の絶縁層を介して設けられた複数のソース配線と、該複数のソース配線を覆うように設けられた第２の絶縁層と、該第２の絶縁層上に設けられた、前記複数のゲート配線および前記複数のソース配線によって囲まれた画素ごとに設けられた信号電極と、該信号電極に隣り合うように前記第２の絶縁層上に設けられた、前記信号電極との間で電界を形成するための共通電極とを備えたモノクロ表示用液晶表示装置において、
前記第２の基板の前記主面上には、表示される画像のホワイトバランスを調整するための着色層が設けられており、該着色層は、平面視して前記信号電極と前記共通電極との間に位置していることを特徴とするモノクロ表示用液晶表示装置。
【請求項２】
主面同士を対向させて配置された第１の基板および第２の基板と、前記第１の基板および前記第２の基板の間に配置された液晶層と、前記第１の基板の前記主面上に設けられた複数のゲート配線と、該複数のゲート配線に交差するように第１の絶縁層を介して設けられた複数のソース配線と、該複数のソース配線を覆うように設けられた第２の絶縁層と、該第２の絶縁層上に設けられた、前記複数のゲート配線および前記複数のソース配線によって囲まれた画素ごとに設けられた信号電極と、該信号電極に隣り合うように前記第２の絶縁層上に設けられた、前記信号電極との間で電界を形成するための共通電極とを備えたモノクロ表示用液晶表示装置において、
前記第２の基板の前記主面上には、表示される画像のホワイトバランスを調整するための着色層が設けられており、該着色層は、平面視して一部が前記信号電極と重なっていることを特徴とするモノクロ表示用液晶表示装置。
【請求項３】
主面同士を対向させて配置された第１の基板および第２の基板と、前記第１の基板および前記第２の基板の間に配置された液晶層と、前記第１の基板の前記主面上に設けられた複数のゲート配線と、該複数のゲート配線に交差するように第１の絶縁層を介して設けられた複数のソース配線と、該複数のソース配線を覆うように設けられた第２の絶縁層と、該第２の絶縁層上に設けられた、前記複数のゲート配線および前記複数のソース配線によって囲まれた画素ごとに設けられた信号電極と、該信号電極に隣り合うように前記第２の絶縁層上に設けられた、前記信号電極との間で電界を形成するための共通電極とを備えたモノクロ表示用液晶表示装置において、
前記第２の基板の前記主面上には、表示される画像のホワイトバランスを調整するための着色層が設けられており、該着色層は、平面視して一部が前記共通電極と重なっていることを特徴とするモノクロ表示用液晶表示装置。
【請求項４】
請求項１乃至請求項３のいずれかに記載のモノクロ表示用液晶表示装置であって、
前記着色層は、第１の着色層と該第１の着色層とは異なる色の第２の着色層とからなり、前記第１の着色層および前記第２の着色層は、それぞれ独立して設けられていることを特徴とするモノクロ表示用液晶表示装置。
【発明の詳細な説明】
【技術分野】
【０００１】
本発明は、透過型の液晶表示装置に関し、特に、医療関係の分野において画像表示装置として用いられるモノクロ表示用液晶表示装置に関する。
【背景技術】
【０００２】
医療用の画像表示装置としては、透過型のモノクロ表示用液晶表示装置が用いられており、この液晶表示装置で表示される画像の観察者は、例えば、ブルーベースの色調で画像表示させることを望んでいる。したがって、このようなモノクロ表示用液晶表示装置において、光源装置の色調を予め定められた色調に調整することによって観察者が望んでいる色調で画像表示させるものがある。このような液晶表示装置としては、例えば、特許文献１に開示されているものがある。
【先行技術文献】
【特許文献】
【０００３】
【特許文献１】特開２００２−７２９８２号公報
【発明の概要】
【発明が解決しようとする課題】
【０００４】
しかしながら、特許文献１に開示された液晶表示装置では、表示される画像の観察者が望んでいる色調の画像表示にするために、光源装置の光源の色調を調整している。このように色調を調整するためには、所望の色調を有する光源装置の光源を選択しなければならず、光源の選択の自由度が少ないという問題点があった。
【０００５】
本発明は、上記の問題点に鑑みてなされたものであり、その目的は、光源装置の光源の色調を調整することなく、表示される画像の観察者が望んでいる色調の画像表示にすることができるモノクロ表示用液晶表示装置を提供することにある。
【課題を解決するための手段】
【０００６】
本発明のモノクロ表示用液晶表示装置は、主面同士を対向させて配置された第１の基板および第２の基板と、前記第１の基板および前記第２の基板の間に配置された液晶層と、前記第１の基板の前記主面上に設けられた複数のゲート配線と、該複数のゲート配線に交差するように第１の絶縁層を介して設けられた複数のソース配線と、該複数のソース配線を覆うように設けられた第２の絶縁層と、該第２の絶縁層上に設けられた、前記複数のゲート配線および前記複数のソース配線によって囲まれた画素ごとに設けられた信号電極と、該信号電極に隣り合うように前記第２の絶縁層上に設けられた、前記信号電極との間で電界を形成するための共通電極とを備えたモノクロ表示用液晶表示装置において、前記第２の基板の前記主面上には、表示される画像のホワイトバランスを調整するための着色層が設けられており、該着色層は、平面視して前記信号電極と前記共通電極との間に位置していることを特徴とするものである。
【０００７】
また、本発明のモノクロ表示用液晶表示装置は、主面同士を対向させて配置された第１の基板および第２の基板と、前記第１の基板および前記第２の基板の間に配置された液晶層と、前記第１の基板の前記主面上に設けられた複数のゲート配線と、該複数のゲート配線に交差するように第１の絶縁層を介して設けられた複数のソース配線と、該複数のソース配線を覆うように設けられた第２の絶縁層と、該第２の絶縁層上に設けられた、前記複数のゲート配線および前記複数のソース配線によって囲まれた画素ごとに設けられた信号電極と、該信号電極に隣り合うように前記第２の絶縁層上に設けられた、前記信号電極と
の間で電界を形成するための共通電極とを備えたモノクロ表示用液晶表示装置において、前記第２の基板の前記主面上には、表示される画像のホワイトバランスを調整するための着色層が設けられており、該着色層は、平面視して一部が前記信号電極と重なっていることを特徴とするものである。
【発明の効果】
【０００８】
本発明のモノクロ表示用液晶表示装置によれば、表示される画像の観察者が望んでいる色調の画像表示を実現することができるという効果を奏する。
【図面の簡単な説明】
【０００９】
【図１】第１の実施の形態に係るモノクロ表示用液晶表示装置の画素部の平面図である。
【図２】図１に示すモノクロ表示用液晶表示装置をＡ−Ａ線で切断した断面図である。
【図３】（ａ）は図１に示すモノクロ表示用液晶表示装置の画素部における第１の基板の平面図、（ｂ）は図１に示すモノクロ表示用液晶表示装置の画素部における第２の基板の平面図である。
【図４】第２の実施の形態に係るモノクロ表示用液晶表示装置の画素部の平面図である。
【図５】図４に示すモノクロ表示用液晶表示装置をＢ−Ｂ線で切断した断面図である。
【図６】（ａ）は図４に示すモノクロ表示用液晶表示装置の画素部における第１の基板の平面図、（ｂ）は図４に示すモノクロ表示用液晶表示装置の画素部における第２の基板の平面図である。
【図７】第２の実施の形態に係る他の例のモノクロ表示用液晶表示装置の断面図である。
【図８】（ａ）は図７に示すモノクロ表示用液晶表示装置の画素部における第１の基板の平面図、（ｂ）は図７に示すモノクロ表示用液晶表示装置の画素部における第２の基板の平面図である。
【図９】第２の基板に配置される着色層の配置状態を説明する説明図である。
【図１０】第２の基板に配置される着色層の他の配置状態を説明する説明図である。
【図１１】（ａ）は図１に示すモノクロ液晶表示装置の他の例の画素部における第１の基板の平面図、（ｂ）は図１に示すモノクロ液晶表示装置の画素部における第２の基板の平面図である。
【図１２】第２の基板に配置される着色層の他の配置状態を説明する説明図である。
【図１３】第３の実施の形態に係るモノクロ液晶表示装置の画素部の平面図である。
【図１４】図１３に示すモノクロ液晶表示装置をＣ−Ｃ線で切断した断面図である。
【図１５】第４の実施の形態に係るモノクロ液晶表示装置の画素部の平面図である。
【発明を実施するための形態】
【００１０】
＜実施の形態１＞
以下、本発明の第１の実施の形態（実施の形態１という）に係るモノクロ表示用液晶表示装置１について、図１乃至図３を参照しながら説明する。
【００１１】
実施の形態１に係るモノクロ表示用液晶表示装置１は、図１乃至図３に示すような構成であり、主面同士を対向させて配置された第１の基板２ａおよび第２の基板２ｂと、第１の基板２ａおよび第２の基板２ｂの間に配置された液晶層３と、第１の基板２ａの主面上に設けられた複数のゲート配線４と、複数のゲート配線４に交差するように第１の絶縁層６ａを介して設けられた複数のソース配線５と、複数のソース配線５を覆うように設けられた第２の絶縁層６ｂと、第２の絶縁層６ｂ上に設けられた、複数のゲート配線４および
複数のソース配線５によって囲まれた画素ごとに設けられた信号電極７と、信号電極７に隣り合うように第２の絶縁層６ｂ上に設けられた、信号電極７との間で電界を形成するための共通電極８とを備えたモノクロ表示用液晶表示装置１において、第２の基板２ｂの主面上には、表示される画像のホワイトバランスを調整するための着色層９が設けられており、着色層９は、平面視して信号電極７と共通電極８との間に位置している。
【００１２】
モノクロ表示用液晶表示装置１は、図１乃至図３に示すように、主面同士を互いに対向させて配置された第１の基板２ａおよび第２の基板２ｂを備えており、第１の基板２ａおよび第２の基板２ｂの間には液晶層３が配置されている。第１の基板２ａおよび第２の基板２ｂは、例えば、ガラス基板、プラスチック基板等の透光性を有する材料からなる。
【００１３】
また、モノクロ表示用液晶表示装置１は、第１の基板２ａと第２の基板２ｂとの対向する主面のうちの第１の基板２ａの主面上に複数のゲート配線４が設けられている。そして、複数のソース配線５が、複数のゲート配線４に交差するように第１の絶縁層６ａを介して設けられている。また、ゲート配線４とソース配線５との交差部の近傍には薄膜トランジスタ２ｃが設けられている。第１の絶縁層６ａは、例えば、窒化ケイ素または酸化ケイ素等の絶縁性を有する材料からなる。なお、第１の絶縁層６ａは、ゲート絶縁層である。
【００１４】
ゲート配線４は、駆動用半導体素子（図示せず）から供給される電圧を薄膜トランジスタ２ｃに印加する機能を有する。また、ソース配線５は、薄膜トランジスタ２ｃを介して、駆動用半導体素子から供給される信号電圧を信号電極７に印加する機能を有する。なお、ゲート配線４またはソース配線５は、例えば、アルミニウム、モリブデン、チタン、ネオジウム、クロムまたは銅等あるいはこれらを含む合金からなる。
【００１５】
そして、第２の絶縁層６ｂが複数のソース配線５を覆うように設けられている。第２の絶縁層６ｂは、例えば、窒化ケイ素または酸化ケイ素等の絶縁性を有する材料、または、アクリル系樹脂またはエポキシ系樹脂等の絶縁性を有する材料からなる。また、第２の絶縁層６ｂは、例えば、窒化ケイ素または酸化ケイ素等の絶縁性を有する材料からなる第１層と、例えば、アクリル系樹脂またはエポキシ系樹脂等の絶縁性を有する材料からなる第２層とで構成されていてもよい。
【００１６】
信号電極７は、第２の絶縁層６ｂ上に複数のゲート配線４および複数のソース配線５によって囲まれた画素ごとに設けられている。信号電極７は、コンタクトホールを介して薄膜トランジスタ２ｃと電気的に接続されている。また、共通電極８は、信号電極７に隣り合うように第２の絶縁層６ｂ上に設けられている。
【００１７】
すなわち、モノクロ表示用液晶表示装置１は、第１の基板２ａの主面上に設けられた信号電極７および共通電極８との間で電界を発生させて液晶分子の方向を制御する横電界方式である。なお、信号電極７と共通電極８とは、平面視して互いに平行になるように設けられている。また、信号電極７および共通電極８は、ＩＴＯ等の透光性および導電性を有する材料からなる。モノクロ表示用液晶表示装置１は、図１乃至図３に示すように、１本の信号電極７に対して、共通電極８が両側に設けられているが、これに限らない。例えば、２本の信号電極７を設けて、それぞれの信号電極７に対して、共通電極８が両側に設けられている構成であってもよい。
【００１８】
また、第１の基板２ａおよび第２の基板２ｂのそれぞれの対向面には、配向処理が施された配向膜（図示せず）が設けられており、配向膜同士の間には液晶が配置されている。配向膜は、例えば、ポリイミド樹脂等の材料からなる。また、配向膜の膜厚は、例えば、０．０４（μｍ）〜０．１（μｍ）である。
【００１９】
また、モノクロ表示用液晶表示装置１は、第１の基板２ａおよび第２の基板２ｂの対向面とは反対の外側面には偏光板（図示せず）が配設される。また、第１の基板２ａ側の偏光板の外側には光源装置１１が配設される。光源装置１１は、例えば、冷陰極管またはＬＥＤ素子等を光源としている。
【００２０】
ここで、着色層９は、第２の基板２ｂの主面上に、モノクロ表示用液晶表示装置１に表示される画像のホワイトバランスを調整するために設けられている。そして、着色層９は、平面視して信号電極７と共通電極８との間に位置している。着色層９は、可視光のうち特定の波長のみを透過させる機能を有しており、信号電極７または共通電極８に平行に設けられているが、これに限らない。着色層９は、信号電極７と共通電極８との間に位置していればよい。
【００２１】
また、光源装置１１等の影響によって、信号電極７と共通電極８との間は、例えば、黄色等に着色しやすい領域である。したがって、信号電極７と共通電極８との間に着色層９を配置することによって、モノクロ表示用液晶表示装置１は、効果的に色調を調整することができる。
【００２２】
光源装置１１からモノクロ表示用液晶表示装置１に入射された光は、着色層９を透過することによって着色される。したがって、モノクロ表示用液晶表示装置１の画像表示の色調は、着色層９によって決定されることになる。また、着色層９は、例えば、液晶表示装置のカラーフィルタに用いられる着色レジストであり、染料または顔料が添加された樹脂である。着色層９は、例えば、第２の基板２ｂの主面上にフォトリソグラフィ法によって設けられる。
【００２３】
モノクロ表示用液晶表示装置１は、表示される画像の観察者が望んでいる色調の画像表示にするために、例えば、ブルーベースの色調であれば、ブルーベースとなるような着色層９が適宜選択されて第２の基板２ｂの主面上の信号電極７と共通電極８との間に設けられる。また、グリーンベースの色調であれば、グリーンベースとなるような着色層９が適宜選択されて第２の基板２ｂの主面上の信号電極７と共通電極８との間に設けられる。すなわち、モノクロ表示用液晶表示装置１は、第２の基板２ｂの主面上に着色層９を設けることによって、表示される画像のホワイトバランスを調整することができる。
【００２４】
例えば、モノクロ表示用液晶表示装置１をブルーベースの色調で画像表示させる場合には、ＣＩＥ色度図上の座標点（ｘ、ｙ）において、画像表示される白表示の際の色度座標が、０．２６＜ｘ＜０．３、０．２６５＜ｙ＜０．３０５の範囲内になるように設定される。
【００２５】
したがって、ブルーベースの色調を有する着色層９を調整することによって、モノクロ表示用液晶表示装置１は、上述の範囲内になるようなブルーベースの色調にすることができる。白表示の際の色度は、例えば、着色層９に添加されている青色系の染料または顔料の含有量、着色層９の膜厚または着色層９の画素内での占有面積等で調整することができる。
【００２６】
例えば、着色層９の厚みが、０．８（μｍ）〜１．２（μｍ）であり、ＣＩＥ色度図上の座標点（ｘ、ｙ）が、０．１６＜ｘ＜０．１８、０．１６５＜ｙ＜０．１８５の範囲内にある場合には、白表示を上述の範囲内にするためには、画素内に設けられる着色層９の占有面積は、画素の開口領域（光源装置１１の光が透過する領域）に対して、１５％〜４５％の範囲に設定される。なお、この場合の光源装置１１の色度は、ＣＩＥ色度図上の座標点（ｘ、ｙ）で、（０．３１、０．３２）である。
【００２７】
また、モノクロ表示用液晶表示装置１では、着色層９は、第２の基板２ｂの主面上に四角形状で設けられているが、着色層９の形状は、これに限らない。着色層９は、例えば、図１１に示すように、第２の基板２ｂの主面上に円形状に設けることができる。このように、着色層９を円形状に設けることによって、着色層９が設けられていない領域を小さくすることができるため、第３の絶縁層６ｃによって平坦性を向上させることができる。
【００２８】
また、着色層９を円形状に設けることによって、着色層９を画素内に均一に配置することができる。したがって、白表示において画素内に着色層９が視認される、すなわち、画像表示がざらついて見えることを抑制することができる。着色層９の形状は、信号電極７と共通電極８との間に配置して設けることができる形状であればよい。なお、円形状の着色層９の個数は適宜選択されて設けられる。
【００２９】
第２の基板２ｂの主面上には、遮光層１０が、図３（ｂ）に示すように、画素の外周に沿って格子状に設けられている。遮光層１０の材料は、例えば、遮光性の高い染料あるいは顔料が添加された樹脂材料、または、クロムまたは酸化クロム等の金属材料からなる。
【００３０】
そして、第２の基板２ｂの主面上に設けられた着色層９および遮光層１０は、第３の絶縁層６ｃで覆われている。第３の絶縁層６ｃは、例えば、アクリル系樹脂、エポキシ系樹脂またはポリイミド系樹脂等であり、着色層９および遮光層１０が設けられた第２の基板２ｂを平坦化するための平坦化膜である。第３の絶縁層６ｃの膜厚は、着色層９および遮光層１０が設けられた第２の基板２ｂを平坦化するために、例えば、１（μｍ）〜３（μｍ）の範囲で設定される。
【００３１】
また、第２の基板２ｂの平坦性を向上させるために、着色層９および遮光層１０の膜厚は、同じ膜厚で設けることが好ましい。なお、同じ膜厚とは、遮光層１０の膜厚に対して、着色層９の膜厚が±２０％の範囲内にあることをいう。
【００３２】
モノクロ表示用液晶表示装置１では、図１乃至図３に示すように、同じ色の着色層９が画素内に設けられているが、着色層９は、図９（ａ）に示すように、第１の着色層９ａと第１の着色層９ａとは異なる色の第２の着色層９ｂで構成することができる。そして、第１の着色層９ａおよび第２の着色層９ｂは、信号電極７と共通電極８との間にそれぞれ独立して設けられる。
【００３３】
したがって、１色では画像表示の色調を調整しにくい場合でも、着色層９が互いに色が異なる第１の着色層９ａと第２の着色層９ｂからなるので、画像表示の色調を広い範囲で調整することができる。また、第１の着色層９ａおよび第２の着色層９ｂは、四角形状に設けられているが、これに限らず、円形状等であってもよい。
【００３４】
すなわち、モノクロ表示用液晶表示装置１では、着色層９は、図９（ａ）に示すように、第１の着色層９ａおよび第２の着色層９ｂが信号電極７と共通電極８との間にそれぞれ独立して設けられていればよい。この場合には、着色層９は、例えば、第１の着色層９ａがブルーベースの色調を有する着色レジストであり、第２の着色層９ｂがグリーンベースの色調を有する着色レジストである。第１の着色層９ａおよび第２の着色層９ｂの着色レジストの色調は所望される画像表示の色調によって適宜選択される。第１の着色層９ａおよび第２の着色層９ｂが設けられる位置または第１の着色層９ａおよび第２の着色層９ｂの画素内での占有面積等は、これに限らず、モノクロ表示用液晶表示装置１が所望の色調になるように適宜選択されて設けられる。
【００３５】
例えば、モノクロ表示用液晶表示装置１において、第１の着色層９ａがブルーベースの色調を有する着色レジストであり、さらに、第２の着色層９ｂがグリーンベースの色調を
有する着色レジストである場合には、ＣＩＥ色度図上の座標点（ｘ、ｙ）において、表示される白表示の際の色度座標が、０．２４＜ｘ＜０．２６、０．２９５＜ｙ＜０．３１５の範囲内になるように設定される。
【００３６】
例えば、第１の着色層９ａの厚みが、０．８（μｍ）〜１．２（μｍ）で、第２の着色層９ｂの厚みが、０．８（μｍ）〜１．２（μｍ）であり、ＣＩＥ色度図上の座標点（ｘ、ｙ）において、第１の着色層９ａが、０．１６＜ｘ＜０．１８、０．１６５＜ｙ＜０．１８５、第２の着色層９ｂが、０．３３＜Ｘ＜０．３５、０．５３５＜ｙ＜０．５５５の範囲内にある場合には、白表示を上述の範囲内にするためには、画素内に設けられる着色層９の面積は、画素の開口領域（光源装置１１の光が透過する領域）に対して、第１の着色層９ａが４０％〜６０％、第２の着色層９ｂが２５％〜４５％の範囲に設定される。なお、この場合の光源装置１１の色度は、ＣＩＥ色度図上の座標点（ｘ、ｙ）で、（０．３１、０．３２）である。
【００３７】
したがって、第１の着色層９ａおよび第２の着色層９ｂを調整することによって、モノクロ表示用液晶表示装置１は、色調を上述の範囲内にすることができる。白表示の際の色度は、例えば、第１の着色層９および第２の着色層９ｂに添加されている青色系、緑色系の染料または顔料の含有量、第１の着色層９ａおよび第２の着色層９ｂの膜厚または第１の着色層９ａおよび第２の着色層９ｂの画素内での占有面積等で調整することができる。
【００３８】
また、第２の基板２ｂの平坦性を向上させるために、第１の着色層９ａおよび第２の着色層９ｂの膜厚は、同じ膜厚で設けることが好ましい。なお、同じ膜厚とは、第１の着色層９ａの膜厚に対して、第２の着色層９ｂの膜厚が±２０％の範囲内にあることをいう。
【００３９】
また、第２の基板２ｂの平坦性を向上させるために、第１の着色層９ａ、第２の着色層９ｂおよび遮光層１０の膜厚は、同じ膜厚で設けることが好ましい。なお、同じ膜厚とは、遮光層１０の膜厚に対して、第１の着色層９ａおよび第２の着色層９ｂの膜厚が±２０％の範囲内にあることをいう。
【００４０】
例えば、モノクロ表示用液晶表示装置１において、上述の着色層９が設けられていない場合には、モノクロ表示用液晶表示装置１の画像表示は、光源装置１１の光源の色調が反映されやすい。したがって、モノクロ表示用液晶表示装置１の画像表示の色調を調整するには、例えば、光源装置１１の光源の色調を調整する必要があり、画像表示の色調を調整することに対して自由度が高くない。
【００４１】
しかしながら、モノクロ表示用液晶表示装置１では、第２の基板２ｂの主面上に表示される画像のホワイトバランスを調整するために、着色層９が、平面視して信号電極７と共通電極８との間に位置して設けられているので、着色層９によって画像表示の色調を調整することができる。
【００４２】
これによって、モノクロ表示用液晶表示装置１は、第２の基板２ｂの主面上に着色層９を設けるとともに、着色層９の形成条件、例えば、着色層９の色度、着色層９の膜厚または着色層９の画素内での占有面積等を調整することによって画像表示の色調を画像の観察者が望んでいる色調に調整することができる。したがって、モノクロ表示用液晶表示装置１は、画像表示の色調調整に対して自由度が高くなる。
【００４３】
本発明は上述の第１の実施の形態に限定されるものではなく、本発明の要旨を逸脱しない範囲において種々の変更、改良等が可能である。以下、他の実施の形態について説明する。なお、他の実施の形態に係る液晶表示装置のうち、第１の実施形態に係るモノクロ表示用液晶表示装置１と同様な部分については、同一の符号を付して適宜説明を省略する。
【００４４】
＜実施の形態２＞
以下、本発明の第２の実施の形態（実施の形態２という）に係るモノクロ表示用液晶表示装置１Ａについて、図４乃至図６を参照しながら説明する。
【００４５】
実施の形態２に係るモノクロ表示用液晶表示装置１Ａは、図４乃至図６に示すような構成であり、主面同士を対向させて配置された第１の基板２ａおよび第２の基板２ｂと、第１の基板２ａおよび第２の基板２ｂの間に配置された液晶層３と、第１の基板２ａの主面上に設けられた複数のゲート配線４と、複数のゲート配線４に交差するように第１の絶縁層６ａを介して設けられた複数のソース配線５と、複数のソース配線５を覆うように設けられた第２の絶縁層６ｂと、第２の絶縁層６ｂ上に設けられた、複数のゲート配線４および複数のソース配線５によって囲まれた画素ごとに設けられた信号電極７と、信号電極７に隣り合うように第２の絶縁層６ｂ上に設けられた、信号電極７との間で電界を形成するための共通電極８とを備えたモノクロ表示用液晶表示装置１において、第２の基板２ａの主面上には、表示される画像のホワイトバランスを調整するための着色層９が設けられており、着色層９は、平面視して一部が信号電極７と重なっている。
【００４６】
モノクロ表示用液晶表示装置１Ａでは、図４に示すように、着色層９は、平面視して一部が信号電極７と重なっている。これによって、着色層９によって画像表示の色調を調整することができる。また、着色層９は、信号電極７と平行に重なるように設けられているが、これに限らない。着色層９は、信号電極７に対して、角度を持って重なるように設けられていてもよい。また、着色層９は、平面視して一部が信号電極７と重なるとともに、一部が共通電極８に重なっていてもよい。
【００４７】
モノクロ表示用液晶表示装置１Ａでは、着色層９は、平面視して一部が信号電極７と重なっているので、信号電極７と共通電極８との間に着色層９が設けられていない領域が大きくなる。これによって、モノクロ表示用液晶表示装置１Ａは輝度の低下を抑制することができる。
【００４８】
また、着色層９は、平面視して一部が信号電極７と重なっており、他の部分は信号電極７と共通電極８との間に設けられている。信号電極７は、信号電極７と共通電極８との間の領域よりも透過率が低いので、所望の画像表示の色調にするために、着色層９は、着色層９と信号電極８とが重なっている面積よりも信号電極７と共通電極８との間に設けられている面積の方を大きくすることができる。これによって、着色層９と共通電極８との間が狭くなり、第２の基板２ｂの平坦性を向上させることができる。
【００４９】
また、モノクロ表示用液晶表示装置１Ａでは、着色層９が、第２の基板２ｂの主面上に四角形状で設けられているが、着色層９の形状は、これに限らない。着色層９は、例えば、図１２（ａ）に示すように、第２の基板２ｂの主面上に円形状に設けることができる。このように、着色層９を円形状に設けることによって、着色層９が設けられていない領域を小さくすることができるため、第３の絶縁層６ｃによって平坦性を向上させることができる。
【００５０】
また、着色層９を円形状に設けることによって、着色層９を画素内に均一に配置することができる。したがって、白表示において画素内に着色層９が視認される、すなわち、画像表示がざらついて見えることを抑制することができる。
【００５１】
モノクロ表示用液晶表示装置１Ａでは、図４乃至図６に示すように、同じ色の着色層９が画素内に設けられているが、着色層９は、図１０に示すように、第１の着色層９ａと第１の着色層９ａとは異なる色の第２の着色層９ｂで構成することができる。そして、第１
の着色層９ａおよび第２の着色層９ｂは、信号電極７と共通電極８との間にそれぞれ独立して設けられる。１色では画像表示の色調を調整しにくい場合でも、着色層９が、互いに色が異なる第１の着色層９ａと第２の着色層９ｂからなるので、画像表示の色調を広い範囲で調整することができる。
【００５２】
すなわち、モノクロ表示用液晶装置１Ａは、着色層９が、図１０に示すように、第１の着色層９ａおよび第２の着色層９ｂがそれぞれ独立して設けられていてもよい。この場合には、着色層９は、例えば、第１の着色層９ａがブルーベースの色調を有する着色レジストであり、第２の着色層９ｂがグリーンベースの色調を有する着色レジストである。第１の着色層９ａと第２の着色層９ｂの着色レジストの色調は所望される画像表示の色調によって適宜選択される。また、第１の着色層９ａおよび第２の着色層９ｂが設けられる位置または第１の着色層９ａおよび第２の着色層９ｂの占有面積等は、これに限らない。モノクロ表示用液晶表示装置１Ａが所望の色調になるように適宜選択されて設けられる。
【００５３】
また、モノクロ表示用液晶表示装置１Ｂは、図７および図８に示すように、モノクロ表示用液晶表示装置１Ａの形態に実施の形態１をさらに追加して一緒に適用することができる。すなわち、着色層９は、信号電極７に重なるように設けられ、そして、信号電極７と共通電極８との間にも配置させて設けることができる。これによって、着色層９は画素内に広い面積で設けることができる。この場合には、モノクロ表示用液晶表示装置１Ｂは、図１２（ｂ）に示すように、着色層９を第２の基板２ｂの主面上に円形状に設けることができる。
【００５４】
さらに、モノクロ表示用液晶表示装置１Ｂは、図９（ｂ）に示すように、第１の着色層９ａと第１の着色層９ａとは異なる色の第２の着色層９ｂで着色層９を構成することができる。そして、第１の着色層９ａおよび第２の着色層９ｂは、それぞれ独立して設けることができる。１色では画像表示の色調を調整しにくい場合でも、着色層９が、互いに色が異なる第１の着色層９ａと第２の着色層９ｂとからなるので、画像表示の色調を広い範囲で調整することができる。
【００５５】
また、着色層９は、図９（ｂ）に示すように、第１の着色層９ａおよび第２の着色層９ｂがそれぞれ独立して設けられているが、第１の着色層９ａおよび第２の着色層９ｂが設けられる位置または第１の着色層９ａおよび第２の着色層９ｂの画素内での占有面積等は、これに限らない。第１の着色層９ａおよび第２の着色層９ｂは、モノクロ表示用液晶表示装置１Ｂが所望の色調になるように適宜選択されて設けられる。
【００５６】
＜実施の形態３＞
以下、本発明の第３の実施の形態（実施の形態３という）に係るモノクロ表示用液晶表示装置１Ｃについて、図１３および図１４を参照しながら説明する。
【００５７】
実施の形態３に係るモノクロ表示用液晶表示装置１Ｃは、図１３および図１４に示すような構成であり、実施の形態１および実施形態２とは異なり、遮光層１０が第１の基板２ａに設けられている。
【００５８】
このように、遮光層１０を第１の基板２ａに設けることによって、遮光層１０は、ゲート配線４またはソース配線５等の金属配線の端部を効果的に遮光することができるため、光散乱がゲート配線４またはソース配線５等の金属配線の端部で発生することによって、コントラストが低下するのを抑制することができる。また、外光や光源装置１１の入射光が薄膜トランジスタ２ｃに入射されにくくなり、薄膜トランジスタ２ｃの光リークを抑制することができる。
【００５９】
＜実施の形態４＞
以下、本発明の第４の実施の形態（実施の形態４という）に係るモノクロ表示用液晶表示装置１Ｄについて、図１５を参照しながら説明する。なお、図１５は、一画素の信号電極７と共通電極８との配置状態を示している。
【００６０】
実施の形態４に係るモノクロ表示用液晶表示装置１Ｄは、図１５に示すような構成である。実施の形態２のモノクロ表示用液晶表示装置１Ａでは、着色層９は、平面視して一部が信号電極７と重なっているが、モノクロ表示用液晶表示装置１Ｄでは、着色層９は、図１５に示すように、平面視して一部が共通電極８と重なっている。また、この構成において、信号電極７に重なる着色層９をさらに設けてもよい。
【００６１】
したがって、モノクロ表示用液晶表示装置１Ｄでは、着色層９が、平面視して共通電極８に重なって設けられているので、着色層９によって画像表示の色調を調整することができる。
【００６２】
また、モノクロ表示用液晶表示装置１Ｄでは、３本の信号電極に対して、共通電極８が両側に設けられているが、これに限らない。例えば、２本の信号電極７を設けて、それぞれの信号電極７に対して、共通電極８が両側に設けられている構成であってもよい。
【００６３】
本発明は、上述した実施の形態１乃至実施の形態４に特に限定されるものではなく、本発明の範囲内で種々の変更および改良が可能である。
【符号の説明】
【００６４】
１、１Ａ、１Ｂ、１Ｃ、１Ｄ  モノクロ表示用液晶表示装置
２ａ  第１の基板
２ｂ  第２の基板
２ｃ  薄膜トランジスタ
３    液晶層
４  ゲート配線
５  ソース配線
６ａ  第１の絶縁層
６ｂ  第２の絶縁層
６ｃ  第３の絶縁層
７  信号電極
８  共通電極
９  着色層
９ａ  第１の着色層
９ｂ  第２の着色層
１０  遮光層
１１  光源装置
【図１】
2014006475.tif 000003
【図２】
2014006475.tif 000004
【図３】
2014006475.tif 000005
【図４】
2014006475.tif 000006
【図５】
2014006475.tif 000007
【図６】
2014006475.tif 000008
【図７】
2014006475.tif 000009
【図８】
2014006475.tif 000010
【図９】
2014006475.tif 000011
【図１０】
2014006475.tif 000012
【図１１】
2014006475.tif 000013
【図１２】
2014006475.tif 000014
【図１３】
2014006475.tif 000015
【図１４】
2014006475.tif 000016
【図１５】
2014006475.tif 000017